(57)【特許請求の範囲】
【請求項１】
スパース符号多元接続（ＳＣＭＡ）を使用する開ループマルチユーザ協調マルチポイント（ＣｏＭＰ）送信を可能にする方法であって、当該方法が、
複数の送信点（ＴＰ）及び複数のユーザ装置（ＵＥ）のクラスタのために、一組のＴＰにおける各ＴＰについて、ＳＣＭＡによるＭＵ  ＣｏＭＰ送信モード及びＵＥペアリング方式に従って一組のＵＥに複数のＳＣＭＡレイヤを協調して割り当てることによって、前記一組のＴＰからのデータ送信のために前記一組のＵＥをスケジュールするステップであって、前記ＳＣＭＡによるＭＵ  ＣｏＭＰ送信モード及び前記ＵＥペアリング方式が基準に従って選択される、ステップと、
前記一組のＴＰからの前記データ送信を検出するように前記一組のＵＥを設定するための制御シグナリングを前記一組のＴＰに割り当てるステップであって、前記制御シグナリングが前記スケジュールすることに基づく複数のパラメータを示す、ステップとを含み、
前記制御シグナリングが、各ＳＣＭＡレイヤの電力分配係数、前記の選択されたＳＣＭＡによるＭＵ  ＣｏＭＰ送信モード、前記一組のＵＥにおける各ＵＥに対するＴＰの数及びインデックス、前記一組のＴＰにおける各ＴＰのレイヤの数及びインデックス、並びに各レイヤのコードブックサイズ及びコードレートを示す、方法。
【請求項２】
前記一組のＴＰにおける各ＴＰについて、複数のＳＣＭＡレイヤを前記ＵＥにスケジュールするステップが、前記一組のＵＥからのチャネル品質インジケータ（ＣＱＩ）フィードバックに従って決定され、前記ＣＱＩフィードバックが参照信号に従った測定値を示す、請求項１に記載の方法。
【請求項３】
前記ＣＱＩフィードバックが、各ＴＰについて各ＵＥによって測定されたＳＣＭＡレイヤの数を示すか、又は前記ＣＱＩフィードバックが、ＣｏＭＰ送信モードに関するＣｏＭＰ  ＣＱＩレポートと、非ＣｏＭＰ送信モードに関する非ＣｏＭＰ  ＣＱＩレポートとを含む、請求項２に記載の方法。
【請求項４】
スケジュールする前記ステップが、前記ＵＥペアリング方式に従って、データ送信のために前記基準に基づいて前記一組のＵＥにおける前記ＵＥを前記一組のＴＰにおける前記ＴＰとペアにするステップと、所定の時間リソース、周波数リソース、又は空間リソースごとに、前記基準に基づいて、前記一組のＴＰと前記一組のＵＥとの間のデータ送信のために、電力及びＳＣＭＡレイヤを含む利用可能なリソースを割り当てるステップとのうちの少なくとも１つを含む、請求項１から請求項３のいずれか一項に記載の方法。
【請求項５】
前記ＳＣＭＡによるＭＵ  ＣｏＭＰ送信モード及びＵＥペアリング方式が、シングルユーザ（ＳＵ）又はＭＵ  ＳＣＭＡ、ＳＣＭＡによるＳＵ  ＣｏＭＰ、及びＳＣＭＡによるＭＵ  ＣｏＭＰを含むＳＣＭＡ及びＣｏＭＰ送信モード並びに様々なＵＥ−ＴＰペアリング方式に関する複数の可能な設定から、前記基準に従って選択される、請求項１から請求項４のいずれか一項に記載の方法。
【請求項６】
前記様々なＵＥ−ＴＰペアリング方式が、セルカバレッジに関連付けられていない複数のＵＥを複数のＴＰとペアにすることか、又は
少なくとも１つのセル端のＵＥが、第１のＴＰとペアにされるとともに、少なくとも１つの第２のリモートＵＥにサービスする第２のリモートＴＰとペアにされるリモートペアリング方式、少なくとも１つのセル端のＵＥが、少なくとも１つの第２のＵＥにサービスする第１のＴＰとペアにされるとともに、第２のリモートＴＰとペアにされるローカルペアリング方式、及び少なくとも１つのセル端のＵＥが、少なくとも１つの第２のＵＥにサービスする第１のＴＰとペアにされるとともに、第３のリモートＵＥにサービスする第２のリモートＴＰとペアにされるデュアルペアリング方式を含む、請求項５に記載の方法。
【請求項７】
前記ＳＣＭＡによるＭＵ  ＣｏＭＰ送信モードが、プリコーディング行列及び前記ＵＥからの関連フィードバックなしに確立される、請求項１から請求項６のいずれか一項に記載の方法。
【請求項８】
前記一組のＴＰからの前記データ送信が、各ＴＰにおける複数のアンテナを使用する多入力多出力（ＭＩＭＯ）送信であるか、又は
前記一組のＴＰにおける各ＴＰからの前記データ送信が、前記一組のＵＥにおける各ＵＥに異なるデータを送信するための空間多重化（ＳＭ）方式、及び前記一組のＵＥにおける各ＵＥに同じデータを送信するための送信ダイバシティ方式のうちの少なくとも１つに従う、請求項１に記載の方法。
【請求項９】
スパース符号多元接続（ＳＣＭＡ）を使用する開ループマルチユーザ協調マルチポイント（ＣｏＭＰ）送信を可能にする方法であって、当該方法が、
送信ポイント（ＴＰ）において、ネットワークコントローラから前記ＴＰに割り当てられた制御シグナリングに関する複数のパラメータを受信するステップと、
前記制御シグナリングを、前記ＴＰと関連付けられた一組のユーザ装置（ＵＥ）に送信するステップであって、前記制御シグナリングが、選択されたＳＣＭＡによるマルチユーザ（ＭＵ）  ＣｏＭＰ送信モード及びＵＥペアリング方式に従って一組のＴＰからの送信を検出するために、前記一組のＵＥに関するスケジューリング情報を示し、前記パラメータが、各ＳＣＭＡレイヤの電力分配係数、前記選択されたＳＣＭＡによるＭＵ  ＣｏＭＰ送信モード、前記一組のＵＥにおける各ＵＥに対するＴＰの数及びインデックス、前記一組のＴＰにおける各ＴＰのＳＣＭＡレイヤの数及びインデックス、並びに各ＳＣＭＡレイヤのコードブックサイズ及びコードレートを含む、ステップとを含む、方法。
【請求項１０】
前記ＴＰと関連付けられた各ＵＥに参照信号を送信するステップと、
各ＵＥから、前記参照信号に従った測定値を示すチャネル品質インジケータ（ＣＱＩ）フィードバックを受信するステップと、
前記ＣＱＩフィードバックを前記ネットワークコントローラに転送するステップとを更に含む、請求項９に記載の方法。
【請求項１１】
前記ＣＱＩフィードバックが、各ＵＥによって測定されたＳＣＭＡレイヤの数を示すこと、
前記測定値が、各ＵＥと関連付けられた前記一組のＴＰに関するＣｏＭＰ信号対干渉雑音比（ＳＩＮＲ）又は非ＣｏＭＰ  ＳＩＮＲであること、及び
前記一組のＴＰにおける各ＴＰのＳＣＭＡレイヤの数及びインデックスを含む前記制御シグナリングに関する前記パラメータが、各ＵＥからの前記ＣＱＩフィードバックに従うことのうちの少なくとも１つである、請求項１０に記載の方法。
【請求項１２】
スパース符号多元接続（ＳＣＭＡ）を使用する開ループマルチユーザ協調マルチポイント（ＣｏＭＰ）送信を可能にする方法であって、当該方法が、
ユーザ装置（ＵＥ）において、選択されたＳＣＭＡによるマルチユーザ（ＭＵ）  ＣｏＭＰ送信モード及びＵＥペアリング方式に従ってデータ送信をスケジュールするための制御シグナリングを受信するステップと、
前記選択されたＳＣＭＡによるＭＵ  ＣｏＭＰ送信モード及び前記ＵＥペアリング方式に従って一組のＴＰからのデータ送信を検出するステップであって、前記制御シグナリングが、各ＳＣＭＡレイヤの電力分配係数、前記選択されたＳＣＭＡによるＭＵ  ＣｏＭＰ送信モード、前記一組のＵＥにおける各ＵＥに対するＴＰの数及びインデックス、前記一組のＴＰにおける各ＴＰのＳＣＭＡレイヤの数及びインデックス、並びに各ＳＣＭＡレイヤのコードブックサイズ及びコードレートを示す、ステップとを含む、方法。
【請求項１３】
前記一組のＴＰにおける各ＴＰから参照信号を受信するステップと、
前記参照信号に従った測定値を示すチャネル品質インジケータ（ＣＱＩ）フィードバックを送信するステップとを更に含む、請求項１２に記載の方法。
【請求項１４】
前記ＣＱＩフィードバックが、各ＴＰについて前記ＵＥによって測定されたＳＣＭＡレイヤの数を示すこと、
前記測定値が、前記ＵＥと関連付けられた前記一組のＴＰに関するＣｏＭＰ信号対干渉雑音比（ＳＩＮＲ）又は非ＣｏＭＰ  ＳＩＮＲであること、及び
前記制御シグナリングが、前記ＵＥからの前記ＣＱＩフィードバックに従うことのうちの少なくとも１つである、請求項１３に記載の方法。
【請求項１５】
スパース符号多元接続（ＳＣＭＡ）を使用する開ループマルチユーザ協調マルチポイント（ＣｏＭＰ）送信を可能にするネットワークコントローラであって、請求項１から請求項８のいずれか一項に記載の方法を実行するように構成されたネットワークコントローラ。
【請求項１６】
スパース符号多元接続（ＳＣＭＡ）を使用する開ループマルチユーザ協調マルチポイント（ＣｏＭＰ）送信をサポートする送信ポイント（ＴＰ）であって、請求項９から請求項１１のいずれか一項に記載の方法を実行するように構成されたＴＰ。
【請求項１７】
スパース符号多元接続（ＳＣＭＡ）を使用する開ループマルチユーザ協調マルチポイント（ＣｏＭＰ）送信をサポートするユーザ装置（ＵＥ）であって、請求項１２から請求項１４のいずれか一項に記載の方法を実行するように構成されたＵＥ。
【請求項１８】
スパース符号多元接続（ＳＣＭＡ）を使用する開ループマルチユーザ協調マルチポイント（ＣｏＭＰ）送信を可能にするネットワークコントローラであって、当該ネットワークコントローラが、
メモリに結合されたプロセッサと、
前記プロセッサによる実行のためのプログラミングを記憶する非一時的なコンピュータ読み取り可能な記憶媒体とを備え、前記プログラミングが、
複数の送信点（ＴＰ）及び複数のユーザ装置（ＵＥ）のクラスタのために、一組のＴＰにおける各ＴＰについて、ＳＣＭＡによるＭＵ  ＣｏＭＰ送信モード及びＵＥペアリング方式に従って一組のＵＥに複数のＳＣＭＡレイヤを協調して割り当てることによって、前記一組のＴＰからのデータ送信のために前記一組のＵＥをスケジュールする命令であって、前記ＳＣＭＡによるＭＵ  ＣｏＭＰ送信モード及び前記ＵＥペアリング方式が基準に従って選択される、命令と、
前記一組のＴＰからの前記データ送信を検出するように前記一組のＵＥを設定するための制御シグナリングを前記一組のＴＰに割り当てる命令であって、前記制御シグナリングが前記スケジュールすることに基づく複数のパラメータを示す、命令とを含み、
前記制御シグナリングが、各ＳＣＭＡレイヤの電力分配係数、前記選択されたＳＣＭＡによるＭＵ  ＣｏＭＰ送信モード、前記一組のＵＥにおける各ＵＥに対するＴＰの数及びインデックス、前記一組のＴＰにおける各ＴＰのＳＣＭＡレイヤの数及びインデックス、並びに各ＳＣＭＡレイヤのコードブックサイズ及びコードレートを示す、ネットワークコントローラ。
【請求項１９】
前記プログラミングが、前記一組のＴＰにおける各ＴＰについて、前記一組のＵＥからのチャネル品質インジケータ（ＣＱＩ）フィードバックに従って複数のＳＣＭＡレイヤを前記ＵＥにスケジュールする命令を含み、前記ＣＱＩフィードバックが参照信号に従った測定値を示す、請求項１８に記載のネットワークコントローラ。
【請求項２０】
前記一組のＴＰからの前記データ送信のために前記一組のＵＥをスケジュールする前記命令が、
前記ＵＥペアリング方式に従って、データ送信のために前記基準に基づいて前記一組のＵＥにおける前記ＵＥを前記一組のＴＰにおける前記ＴＰとペアにする命令と、
所定の時間リソース、周波数リソース、又は空間リソースごとに、前記基準に基づいて、前記一組のＴＰと前記一組のＵＥとの間のデータ送信のために、電力及びＳＣＭＡレイヤを含む利用可能なリソースを割り当てる命令と、
前記の割り当てられた電力に基づいて、前記ＵＥに対するＳＣＭＡレイヤのレート及び数を調整する命令とを含む、請求項１８又は請求項１９に記載のネットワークコントローラ。
【請求項２１】
スパース符号多元接続（ＳＣＭＡ）を使用する開ループマルチユーザ協調マルチポイント（ＣｏＭＰ）送信をサポートする送信ポイント（ＴＰ）であって、当該ＴＰが、
メモリに結合されたプロセッサと、
前記プロセッサによる実行のためのプログラミングを記憶する非一時的なコンピュータ読み取り可能な記憶媒体とを備え、前記プログラミングが、
ネットワークコントローラから前記ＴＰに割り当てられた制御シグナリングに関する複数のパラメータを受信する命令と、
前記制御シグナリングを、前記ＴＰと関連付けられた一組のユーザ装置（ＵＥ）に送信する命令であって、前記制御シグナリングが、選択されたＳＣＭＡによるマルチユーザ（ＭＵ）  ＣｏＭＰ送信モード及びＵＥペアリング方式に従って一組のＴＰからの送信を検出するために、前記一組のＵＥに関するスケジューリング情報を示し、前記パラメータが、各ＳＣＭＡレイヤの電力分配係数、前記選択されたＳＣＭＡによるＭＵ  ＣｏＭＰ送信モード、前記一組のＵＥにおける各ＵＥに対するＴＰの数及びインデックス、前記一組のＴＰにおける各ＴＰのＳＣＭＡレイヤの数及びインデックス、並びに各ＳＣＭＡレイヤのコードブックサイズ及びコードレートを含む、命令とを含む、ＴＰ。
【請求項２２】
前記プログラミングが、
前記ＴＰと関連付けられた各ＵＥに参照信号を送信する更なる命令と、
各ＵＥから、前記参照信号に従った測定値を示すチャネル品質インジケータ（ＣＱＩ）フィードバックを受信する更なる命令と、
前記ＣＱＩフィードバックを前記ネットワークコントローラに転送する更なる命令とを含む、請求項２１に記載のＴＰ。
【請求項２３】
スパース符号多元接続（ＳＣＭＡ）を使用する開ループマルチユーザ協調マルチポイント（ＣｏＭＰ）送信をサポートするユーザ装置（ＵＥ）であって、当該ＵＥが、
メモリに結合されたプロセッサと、
前記プロセッサによる実行のためのプログラミングを記憶する非一時的なコンピュータ読み取り可能な記憶媒体とを備え、前記プログラミングが、
選択されたＳＣＭＡによるマルチユーザ（ＭＵ）  ＣｏＭＰ送信モード及びＵＥペアリング方式に従ってデータ送信をスケジュールするための制御シグナリングを受信する命令と、
前記選択されたＳＣＭＡによるＭＵ  ＣｏＭＰ送信モード及び前記ＵＥペアリング方式に従って一組のＴＰからのデータ送信を検出する命令であって、前記制御シグナリングが、各ＳＣＭＡレイヤの電力分配係数、前記選択されたＳＣＭＡによるＭＵ  ＣｏＭＰ送信モード、前記一組のＵＥにおける各ＵＥに対するＴＰの数及びインデックス、前記一組のＴＰにおける各ＴＰのＳＣＭＡレイヤの数及びインデックス、並びに各ＳＣＭＡレイヤのコードブックサイズ及びコードレートを示す、命令とを含む、ＵＥ。
【請求項２４】
前記プログラミングが、
前記一組のＴＰにおける各ＴＰから参照信号を受信する更なる命令と、
前記参照信号に従った測定値を示すチャネル品質インジケータ（ＣＱＩ）フィードバックを送信する更なる命令とを含む、請求項２３に記載のＵＥ。
【発明の詳細な説明】
【技術分野】
【０００１】
本出願は、“System  and  Method  for  Downlink  Open-Loop  Multi-User  Coordinated  Multipoint  Transmission”と表題が付けられた、“Usa  Vilaipornsawai”らによる、２０１５年９月２１日に出願された米国非仮特許出願第14/860,476号及び２０１４年９月１９日に出願された仮特許出願第62/052,989号の利益を主張し、両出願は、その全体が再現されるように参照により本明細書に組み込まれる。
【０００２】
技術分野
本発明は、一般に、無線通信に関し、特定の実施例では、スパース符号多元接続（ＳＣＭＡ）を使用するダウンリンク開ループマルチユーザ協調マルチポイント（ＭＵ−ＣｏＭＰ）送信のためのシステム及び方法に関する。
【背景技術】
【０００３】
第５世代（５Ｇ）無線ネットワークなどの進化するネットワークにおける高容量需要及び新しいアプリケーションをサポートするために、超高密度ネットワーク（ＵＤＮ）及び移動ネットワーク（ＭＮ）が開発されている。そのようなネットワークアーキテクチャは、他の課題の中で、高容量要求、深刻なセル間干渉、頻繁なハンドオーバ、及び高速移動するユーザによって挑戦されている。例えば、協調マルチポイント（ＣｏＭＰ）又はジョイント送信（ＪＴ）ＣｏＭＰ、協調ビームフォーミング／スケジューリング（ＣＢ／ＣＳ）ＣｏＭＰ、及びビームフォーミングに基づくマルチユーザ多入力多出力（ＭＵ−ＭＩＭＯ）などのような技術が、このような課題を軽減するために提案されている。しかしながら、ＣｏＭＰ及びＭＵ−ＭＩＭＯ方式は、高いオーバヘッドを有するチャネル状態情報（ＣＳＩ）フィードバックを必要とする閉ループ方式である。ＣＳＩフィードバックは、同様に、チャネルエージング及びフィードバックエラーにも敏感である。スパース符号多元接続（ＳＣＭＡ）は、比較的低い複雑さの受信機設計と、良好な性能とを有する送信方式である。ＳＣＭＡは、リソースよりも多くのユーザ又はトラフィックを有する過負荷システムをサポートすることによって、高いスペクトル効率を提供することができる。マルチユーザＳＣＭＡ（ＭＵ−ＳＣＭＡ）方式は、同様に、スループットとカバレッジを向上させるとともに、低いフィードバックオーバヘッドを有する開ループ（ＯＬ）ユーザ多重化をサポートすることができる。ＳＣＭＡ方式の低い複雑さから利益を得るとともに、典型的なＣｏＭＰシステムの課題のいくつかを克服するために、ＣｏＭＰ送信とともにＯＬ  ＭＵ−ＳＣＭＡを実施するための効率的な方式が必要である。
【発明の概要】
【０００４】
本発明の態様によれば、スパース符号多元接続（ＳＣＭＡ）を使用する開ループマルチユーザ協調マルチポイント（ＣｏＭＰ）送信を可能にする方法は、複数の送信点（ＴＰ）及び複数のユーザ装置（ＵＥ）のクラスタ内のネットワークコントローラにおいて、一組のＴＰから一組のＵＥへのデータ送信のためのＳＣＭＡによるマルチユーザ（ＭＵ）  ＣｏＭＰ送信モード及びＵＥペアリング方式を選択するステップを含む。ＳＣＭＡによるＭＵ  ＣｏＭＰ送信モードは、基準に従って選択される。当該方法は、一組のＴＰにおける各ＴＰについて、選択されたＳＣＭＡによるＭＵ  ＣｏＭＰ送信モードに従って一組のＵＥに複数のＳＣＭＡレイヤを協調して割り当てることによって、一組のＴＰからのデータ送信のために一組のＵＥをスケジュールするステップを更に含む。制御シグナリングに関する複数の値が、同様に、スケジュールすることに基づいて決定される。制御シグナリングは、一組のＴＰからのデータ送信を検出するように一組のＵＥを設定するとともに、決定された値とともに一組のＴＰに割り当てられる。
【０００５】
本発明の別の態様によれば、開ループＭＵ−ＣｏＭＰ−ＳＣＭＡ送信を可能にする方法は、ＴＰに割り当てられた制御シグナリングに関する複数の値をネットワークコントローラからＴＰにおいて受信するステップと、ＴＰと関連付けられた一組のＵＥに制御シグナリングを送信するステップとを含む。制御シグナリングは、選択されたＭＵ−ＣｏＭＰ−ＳＣＭＡ送信モード及びＵＥペアリング方式に従って一組のＴＰからの送信を検出するために、一組のＵＥに関するスケジューリング情報を含む。値は、一組のＴＰにおける各ＴＰのＳＣＭＡレイヤの数及びインデックスを含む。
【０００６】
本発明の別の態様によれば、開ループＭＵ−ＣｏＭＰ−ＳＣＭＡ送信を可能にする方法は、ＵＥにおいて、選択されたＭＵ−ＣｏＭＰ−ＳＣＭＡ送信モード及びＵＥペアリング方式に従ってスケジュールするための制御シグナリングを受信するステップと、選択されたＭＵ−ＣｏＭＰ−ＳＣＭＡ送信モード及びＵＥペアリング方式に従って一組のＴＰからのデータ送信を検出するステップとを含む。制御シグナリングは、一組のＴＰにおける各ＴＰのＳＣＭＡレイヤの数及びインデックスを示す。
【０００７】
本発明の別の態様によれば、ＳＣＭＡを使用する開ループマルチユーザＣｏＭＰ送信を可能にするネットワークコントローラは、メモリに結合されたプロセッサと、プロセッサによる実行のためのプログラミングを記憶する非一時的なコンピュータ読み取り可能な記憶媒体とを含む。プログラミングは、複数のＴＰ及び複数のＵＥのクラスタのために、一組のＴＰから一組のＵＥへのデータ送信のためのＳＣＭＡによるマルチユーザ（ＭＵ）  ＣｏＭＰ送信モード及びＵＥペアリング方式を選択する命令を含む。ＳＣＭＡによるＭＵ  ＣｏＭＰ送信モードは、基準に従って選択される。プログラミングは、同様に、協調することによって一組のＴＰからのデータ送信のために一組のＵＥをスケジュールすること、及び一組のＴＰにおける各ＴＰについて、選択されたＳＣＭＡによるＭＵ  ＣｏＭＰ送信モードに従って一組のＵＥに複数のＳＣＭＡレイヤを割り当てることを含む。命令は、同様に、スケジュールすることに基づいて制御シグナリングに関する複数の値を決定すること、制御シグナリングを決定された値とともに一組のＴＰに割り当てることとを含む。制御シグナリングは、一組のＴＰからのデータ送信を検出するように一組のＵＥを設定する。
【０００８】
本発明の別の態様によれば、ＳＣＭＡを使用する開ループマルチユーザＣｏＭＰ送信をサポートするＴＰは、メモリに結合されたプロセッサと、プロセッサによる実行のためのプログラミングを記憶する非一時的なコンピュータ読み取り可能な記憶媒体とを含む。プログラミングは、ネットワークコントローラからＴＰに割り当てられた制御シグナリングに関する複数の値を受信する命令と、制御シグナリングを、ＴＰと関連付けられた一組のＵＥに送信する命令とを含む。制御シグナリングは、選択されたＳＣＭＡによるＭＵ  ＣｏＭＰ送信モード及びＵＥペアリング方式に従って一組のＴＰからの送信を検出するために、一組のＵＥに関するスケジューリング情報を含む。値は、一組のＴＰにおける各ＴＰのＳＣＭＡレイヤの数及びインデックスを含む。
【０００９】
本発明の更に別の態様によれば、ＳＣＭＡを使用する開ループマルチユーザＣｏＭＰ送信をサポートするＵＥは、メモリに結合されたプロセッサと、プロセッサによる実行のためのプログラミングを記憶する非一時的なコンピュータ読み取り可能な記憶媒体とを含む。プログラミングは、選択されたＳＣＭＡによるＭＵ  ＣｏＭＰ送信モード及びＵＥペアリング方式に従ってスケジュールするための制御シグナリングを受信する命令と、選択されたＳＣＭＡによるＭＵ  ＣｏＭＰ送信モード及びＵＥペアリング方式に従って一組のＴＰからのデータ送信を検出する命令とを含む。制御シグナリングは、一組のＴＰにおける各ＴＰのＳＣＭＡレイヤの数及びインデックスを示す。
【００１０】
前述のものは、下記の本発明の詳細な説明をよりよく理解できるように、本発明の態様の特徴をかなり広く概説したものである。本発明の請求項の主題を形成する追加の特徴及び利点が下記で説明されることになる。開示された特定の態様は、本発明の同じ目的を実行するための他の構造若しくは処理を修正又は設計するための基礎として容易に利用され得る、ということが当業者によって認識されるべきである。そのような等価な構造は、添付の請求項に記載された本発明の範囲から逸脱するものではない、ということが同様に当業者によって理解されるべきである。
【００１１】
本発明及びその利点のより完全な理解のために、添付の図面とともに読まれる下記の説明に対して、ここで参照が行われる。
【図面の簡単な説明】
【００１２】
【図１】ＳＣＭＡによるＯＬ  ＭＵ−ＣｏＭＰシステムの一実施例を例示する。
【図２】ＯＬ  ＭＵ−ＣｏＭＰ  ＳＣＭＡ送信モード及びその設定を決定する方法の一実施例を例示する。
【図３】スケジュールされたＵＥにおける検出のために制御シグナリングを可能にする方法の一実施例を例示する。
【図４】ＯＬ  ＭＵ−ＳＣＭＡ−ＣｏＭＰ送信をサポートするためのフィードバック情報を測定して送信する方法の一実施例を示す図である。
【図５】ＭＵ−ＳＣＭＡ−ＣｏＭＰ送信のためのＵＥペアリングシナリオの一実施例を示す。
【図６】ＭＵ−ＳＣＭＡ−ＣｏＭＰリモートペアリングの一実施例を例示する。
【図７】ＭＵ−ＳＣＭＡ−ＣｏＭＰローカルペアリングの一実施例を例示する。
【図８】ＭＵ−ＳＣＭＡ−ＣｏＭＰデュアルペアリングの一実施例を例示する。
【図９Ａ】ＯＬ  ＭＵ−ＳＣＭＡ−ＣｏＭＰ送信システムの一実施例を例示する。
【図９Ｂ】ＯＬ  ＭＵ−ＳＣＭＡ−ＣｏＭＰ送信システムの一実施例を例示する。
【図１０】様々な実施例を実施するために使用されることができる処理システムの図である。
【発明を実施するための形態】
【００１３】
異なる図面における対応する数字及び記号は、他に示されない限り、概して、対応する部分を指す。図面は、実施例の関連する態様を明確に例示するために描かれたものであり、必ずしも一定の縮尺で描かれているわけではない。
【００１４】
手始めに、１つ又は複数の実施例の例示的な実装が下記に提供されるが、開示されたシステム及び／又は方法は、現在知られているか存在しているかに関係なく、任意の数の技術を使用して実装されてもよい、ということが理解されるべきである。本開示は、本明細書で例示及び説明される例示的な設計及び実装を含む、下記に例示される例示的な実装、図面及び技術に決して限定されるべきではなく、それらの均等物の全範囲と共に添付の請求項の範囲内で変更され得る。
【００１５】
スパース符号多元接続（ＳＣＭＡ）は、スパースなコードブックを使用してユーザデータシンボルを伝達する非直交多元接続方式である。スパースなコードブックを異なるユーザ又はデータシンボルに割り当てることにより、ＳＣＭＡは、合理的な複雑さを有する高度な受信機を使用して、過負荷のシステム（例えば、リソースよりも多くのユーザ／トラフィックを有する）をサポートすることができる。このような妥当な複雑さは、ＳＣＭＡコードブックのスパース性によって可能になる。さらに、ＳＣＭＡのコード領域におけるユーザを分離する能力は、協調マルチポイント（ＣｏＭＰ）送信シナリオに適しており、無線信号のカバレッジを改善する。カバレッジの改善は、ユーザのエクスペリエンスを向上させるように変換されることができる。第１のユーザ装置（ＵＥ）は、異なるコードブック又は同じコードブックを使用することができる、異なる送信機ポイント（ＴＰ）からのデータシンボルを受信することができる。各ＴＰは、同様に、異なるコードブックを異なるユーザに割り当てることによって、複数のユーザ（ＭＵ）をサポートすることができる。ＴＰという用語は、本明細書では、同様に、ＴＰのカバレッジ範囲を示すために使用される。
【００１６】
本明細書では、本明細書ではＭＵ−ＳＣＭＡ−ＣｏＭＰとも呼ばれる、ＳＣＭＡを使用するダウンリンク開ループＭＵ−ＣｏＭＰ送信を可能にする実施例が提供される。実施例は、検出戦略、電力分配係数最適化、ユーザペアリング、及びスケジューリングのための方式を含む。方式は、ＳＣＭＡを利用して、異なるコードブックセットを使用するＭＵをサポートする。方式は、方式の開ループ特性に起因して、チャネル状態情報（ＣＳＩ）の知識なしに、チャネル品質インジケータ（ＣＱＩ）のみが必要とされて実施されることができる。方式は、例えば、ビークルツービークル（Ｖ２Ｖ）又は高移動性アプリケーションを含む５Ｇシステムのような、高移動性アプリケーションに適している。
【００１７】
ダウンリンクＭＵ−ＳＣＭＡ−ＣｏＭＰでは、ＳＣＭＡレイヤは複数のＵＥ間で共有されるため、送信電力はＵＥ間で共有される必要がある。任意のＵＥは、複数のＴＰからデータを受信することができる。ＭＵ−ＣｏＭＰシナリオでは、送信は、複数のＵＥ及び複数のＴＰに対して全体として最適化されるべきである。リモートペアリング、ローカルペアリング、及びデュアルペアリングを含む、ＭＵ−ＳＣＭＡ−ＣｏＭＰのための複数のＵＥ／ＴＰペアリングシナリオが、検討されることができる。
【００１８】
図１は、ダウンリンクＳＣＭＡによるＯＬ  ＭＵ−ＣｏＭＰシステム１００の一実施例を示す。ＳＣＡＭ方式を使用することは、各ＵＥからのチャネル状態情報（ＣＳＩ）フィードバックの要件を除去して、ＣｏＭＰ送信のためのプリコーディング行列を確立する。プリコーディング行列を得るのに必要なＣＳＩを使用する代わりに、ＣＱＩのみを使用して、複数のＴＰから複数のＵＥへのＳＣＭＡ  ＣｏＭＰ送信のための複数の可能な設定を識別することによって、各ＴＰに対するＣｏＭＰ送信モードが達成されることができる。考慮されるモードは、シングルユーザ（ＳＵ）又はマルチユーザ（ＭＵ）ＳＣＭＡモードのような非ＣｏＭＰモード、ＳＣＭＡによる（単一のＵＥに共同して送信する複数のＴＰを有する）ＳＵ−ＣｏＭＰ、及びＳＣＭＡによる（複数のＵＥに共同して送信する複数のＴＰを有する）複数のＭＵ−ＣｏＭＰ方式を含むことができる。システム１００は、ＳＣＭＡ  ＣｏＭＰ送信モード及びこのモードの異なる設定を確立するために無線リソース制御（ＲＲＣ）シグナリングをサポートする。ＭＵ−ＳＣＭＡ−ＣｏＭＰ方式は、下記で説明するように、ローカルペアリング、リモートペアリング、及びデュアルペアリング方式を含むことができる。他の適切な送信モードが、同様に、考慮されることができる。したがって、ＵＥは、１つ又は複数の送信モードに基づいて、例えばスケジューリング間隔ごとに動的に、ＳＣＭＡレイヤをＵＥに協調して／割り当てることによって、送信のためにスケジュールされることができる。
【００１９】
システム１００において、ネットワークコントローラ１０１は、ネットワーククラスタ内の複数のＴＰ１１０と複数のＵＥ１２０との間のダウンリンクＭＵ−ＳＣＭＡ−ＣｏＭＰを設定する。各ＵＥ１２０は、チャネル品質インジケータ（ＣＱＩ）フィードバック及びそれに関する検出されたＳＣＡＭレイヤの数を返信する。ＣＱＩフィードバックは、ＴＰ１１０によってコントローラ１０１に転送される。コントローラ１０１は、さらに、各ＵＥ１２０及びＴＰ１１０のペアについて、このフィードバック情報を使用して、クラスタ全体で（すべての考慮されるＴＰ１１０とＵＥ１２０との間で）スケジューリング及びＣｏＭＰモード選択を設定する。ＣｏＭＰモード選択に加えて、設定は、所定のリソースに対するユーザ選択、ＳＣＭＡレイヤに対する電力割り当て、並びにレート及びレイヤの調整を含む。設定パラメータは、ＣｏＭＰ／ペアにされたユーザに対する符号化、変調、多重化、及び制御シグナリングを調整するために、それぞれのＴＰ１１０に渡される。ＵＥ１２０は、検出のために制御シグナリングを使用する。
【００２０】
図２は、ＯＬ  ＭＵ−ＳＣＭＡ−ＣｏＭＰ送信モード及びその設定を決定するための一実施例の方法２００を示す。方法２００は、システム１００、例えばコントローラ１０１において実行されることができる。ステップ２０１において、様々なペアリング方式とともに、ＳＵ／ＭＵ−ＳＣＭＡ、ＳＵ−ＳＣＭＡ−ＣｏＭＰ、ＭＵ−ＳＣＭＡ−ＣｏＭＰを含むＳＣＭＡ  ＣｏＭＰ送信モードに関する複数の可能な設定が識別される。ステップ２０２において、コントローラが、事前設定された基準、例えば最大重み付き合計レート（ＷＳＲ）に基づいて、送信モードを選択する。ステップ２０３において、決定された送信モードに基づいてＳＣＭＡレイヤをＵＥに協調して／割り当てることにより、複数のＴＰからの複数のＵＥがスケジュールされる。このステップは、スケジューリング間隔ごとに動的に実行されることができる。スケジュールすることは、基準に基づいて複数のＴＰからの複数のＵＥをペアにすること、そして、所定の時間リソース、周波数リソース、及び／又は空間リソースごとに、電力及びＳＣＭＡレイヤ、又は他の利用可能なリソースを、複数のＴＰにおける複数のスケジュールされたＵＥに割り当てることを含む。スケジュールすることは、同様に、割り当てられた電力に基づいて、スケジュールされたＵＥのＳＣＭＡレイヤのレート及び数を調整することを含む。
【００２１】
図３は、スケジュールされたＵＥにおける検出のための制御シグナリングを可能にする一実施例の方法３００を示す。方法３００は、システム１００、例えばコントローラ１０１及びＴＰ１１０において実行されることができる。この制御シグナリングは、ＯＬ  ＭＵ−ＳＣＭＡ−ＣｏＭＰ送信モードにおけるスケジュールされたＵＥの検出に必要とされる。ステップ３１０において、コントローラは、スケジューリングのデシジョンに基づいて制御シグナリングの値を決定する。値は、選択されたＣｏＭＰ送信モード、そして、各ＣｏＭＰ  ＵＥに関する、ＣｏＭＰ送信点におけるＴＰの数、ＣｏＭＰ送信点におけるＴＰのインデックス、ＣｏＭＰ送信点における各ＴＰのレイヤ数、ＣｏＭＰ送信点における各ＴＰのレイヤのインデックスを含むことができる。値は、さらに、各ＣｏＭＰ  ＵＥの各ＣｏＭＰ  ＴＰに関する、各レイヤの電力分配係数、各レイヤのコードブックサイズ、及び各レイヤのコードレートを含む。いくつかの情報がＵＥによって盲目的に検出され得るので、このシグナリングの一部のみが必要とされ得る。ステップ３２０において、コントローラは、関連付けられた制御シグナリングをＣｏＭＰ  ＵＥの各それぞれのサービングＴＰに割り当てる。ステップ３３０において、サービングＴＰは、制御シグナリングをＴＰのＣｏＭＰ  ＵＥに送信する。
【００２２】
図４は、ＯＬ  ＭＵ−ＳＣＭＡ−ＣｏＭＰ送信をサポートするためのフィードバック情報を測定して送信する一実施例の方法４００を示す。方法４００は、フィードバックＣＱＩを測定し、ＵＥからそのサービングＴＰ又はクラスタに送信することを含む。ＣＱＩは、ＵＥによる、測定された信号対干渉雑音比（ＳＩＮＲ）及びＳＣＭＡレイヤの数を示す。方法４００は、システム１００において、例えば各ＴＰ及びＵＥにおいて実行されることができる。ステップ４１０において、非ＣｏＭＰ送信のための各サービングＴＰが、協調せずに参照信号（例えば、ＣＲＳ、ＣＳＩ−ＲＳ）を送信する。さらに、各ＣｏＭＰ  ＵＥのＣｏＭＰ測定セットにおけるＴＰが、それらの間のミューティング協調によって、参照信号（例えば、ＣＳＩ−ＲＳ／ＺＰ  ＣＳＩ−ＲＳ）をＣｏＭＰ  ＵＥに送信する。ステップ４２０において、ＵＥが、その参照信号を用いてその非ＣｏＭＰ  ＳＩＮＲを測定する。非ＣｏＭＰ  ＳＩＮＲは、他の全てのＴＰからの干渉電力に雑音電力を加えたものに対するサービングＴＰからの信号電力である。参照信号のミューティングを協調することに基づく測定値を使用して、ＵＥが、Ｍ個のＴＰに関するＭ個のＣｏＭＰ  ＳＩＮＲ（Ｍは整数）を測定することができる。ＣｏＭＰ  ＳＩＮＲは、ＣｏＭＰ測定セットの外部からの干渉電力に雑音電力を加えたものに対するＣｏＭＰ測定セット（例えば、Ｍ個のＴＰを有する）におけるＴＰからの信号電力である。ステップ４３０において、各非ＣｏＭＰ  ＵＥが、フィードバックとして、測定された非ＣｏＭＰ  ＳＩＮＲ及び関連するＳＣＭＡレイヤの数をそのサービングＴＰ／クラスタに送信する。非ＣｏＭＰ  ＳＩＮＲは、ＭＵ−ＳＣＭＡにおいて必要とされる。各ＣｏＭＰ  ＵＥが、フィードバックとして、非ＣｏＭＰ  ＳＩＮＲ及び関連するＳＣＭＡレイヤの数をそのサービングＴＰ／クラスタに送信するとともに、Ｍ個のＣｏＭＰ  ＳＩＮＲ及びそれらの関連するＳＣＭＡレイヤの数をそのサービングＴＰ／クラスタに送信する。Ｍ個のＣｏＭＰ  ＳＩＮＲは、ＭＵ−ＳＣＭＡ−ＣｏＭＰにおいて必要とされる。ＳＩＮＲの値は、量子化されるとともにセット内に事前に定義されてもよい。ＳＣＭＡレイヤの数は、同様に、セット内に事前に定義されてもよい。ＳＩＮＲ及びＳＣＭＡレイヤの数のフィードバックレートは異なる場合がある。
【００２３】
ＣｏＭＰ  ＵＥのためのダウンリンク送信では、複数のＴＰからのＳＣＭＡレイヤと関連付けられたデータが一緒に検出される。複数の一緒にペアにされたＵＥ／ＳＣＭＡリンクに対して、各スケジューリングされたＵＥは、全てのリンクからの全てのＳＣＭＡレイヤに関するジョイント検出を実行する。逐次干渉除去（ＳＩＣ）検出方式を使用して、ＵＥは、性能指標、例えばＣＱＩフィードバックに基づくチャネル品質が増加する方向で、順位付けられることができる。したがって、順位における１番目のＵＥは、他の全てのＵＥのレイヤが干渉であると仮定することによって、そのＳＣＭＡレイヤに関連するデータを検出する。２番目のＵＥは、最初に、（より低いチャネル品質を有する）１番目のＵＥのデータを検出し、データを再符号化して／その信号から削除するとともに、次に、残りのＵＥからのデータレイヤが干渉であると考えて、それ自身のデータを検出する。順位における任意の残りのＵＥは、同様の方法で処理される。
【００２４】
図５は、ＭＵ−ＳＣＭＡ−ＣｏＭＰ送信のためのＵＥペアリングシナリオの一実施例を示す。このシナリオは、複数のＵＥ５２０がＴＰ又はＴＰによってサービスされるセルと必ずしも関連付けられていない無線ネットワークに適用されてもよい。例えば、ＵＥ５２０は、車両、列車、又は飛行機内のＵＥのように、１つ又は複数の無線ネットワーク及びＴＰを横断して移動している場合がある。複数のＵＥ５２０（少なくとも２つのＵＥ）は、例えばＵＥと十分に近接している複数のＴＰ５１０からのＣｏＭＰ−ＳＣＭＡ送信を受信するために、一緒にペアにされることができる。例えば、ｎ個のＵＥはｍ個のＴＰ（ｎおよびｍは整数）によってサービスされ、ｎ個のＵＥのうちの各ＵＥは、最大ｍ個までのＴＰによってサービスされる。ネットワークコントローラ（図示せず）は、適切な数のＳＣＭＡレイヤ及び電力分配係数をリンクに割り当てることによって、各ＴＰ５１０とＵＥ５２０との間のリンクを確立することができる。所定の時間リソース、周波数リソース、又は空間リソースごとに、他のリソースが、同様に、リンクに割り当てられることができる。
【００２５】
図６は、ＭＵ−ＳＣＭＡ−ＣｏＭＰリモートペアリングシナリオの一実施例を示す。異なるデータストリームは、空間多重化（ＳＭ）方式を使用して、異なるＴＰからＣｏＭＰ  ＵＥに送信されてもよい。その代わりに、同じデータストリームは、送信ダイバシティ方式を使用して、ＴＰからＵＥに送信されてもよい。ＵＥｉと指定された第１のＵＥ６２０は、ＴＰ１と指定されるとともに、低いＳＩＮＲを有する第１のＴＰ６１０におけるセル端のＵＥ６２０であると仮定される。ＵＥｊと指定された第２のＵＥ６２０は、ＴＰ２と指定されるとともに、高いＳＩＮＲを有する第２のＴＰ６１０におけるセル中心のＵＥ６２０である。低いＳＩＮＲを有するセル端のＵＥ６２０及び高いＳＩＮＲを有するセル中心のＵＥ６２０は、同様に、それぞれ悪いＵＥ及び良いＵＥと呼ばれる。このシナリオでは、ＴＰ２は、Ｐｊ，ＴＰ２＝（１−∝）Ｐを用いてそれ自身のセル中心のＵＥ６２０にサービスを提供しながら、ＴＰ１のセル端のＵＥ６２０に対して、Ｐｉ，ＴＰ２＝∝Ｐの送信電力をそのＵＥに割り当てることにより、サービスを提供することができ、ここで、∝は最適化されることが必要である電力分配係数である。ＳＣＭＡを使用すると、これらのユーザ間で電力を共有する以外に、レイヤを共有することができる。
【００２６】
多入力多出力（ＭＩＭＯ）及びＳＣＭＡモデルの線形等価物に基づいて、ｙｉ，ＴＰ１がＴＰ１と関連付けられたＵＥｉにおける受信信号を表すとすると、ｙｉは、次のように表されることができる。
【００２７】
【数１】
0006532527.tif 000002
【００２８】
ここで、Ｈｉ，ＴＰ１，ｉ，ＴＰ１及びＨｉ，ＴＰ２，ｉ，ＴＰ２は、それぞれＴＰ１からのＵＥｉに対する既知のチャネル行列、及びＴＰ２からのＵＥｉに対する既知のチャネル行列であり、ｑｉ，ＴＰ１及びｑｉ，ＴＰ２は、正規化された直交振幅変調（ＱＡＭ）シンボルの対応するベクトルであり、Ｊｉ，Ｔ２及びＪｊ，Ｔ２は、それぞれＴＰ１とＴＰ２からのＵＥｉに対するシグネチャの数であり、ｑｊ，ＴＰ２は、ＴＰ２からのＵＥｊの送信シンボルベクトルであり、ｎｉ，ＴＰ１は、ＴＰ１内のＵＥｉにおける干渉プラス雑音信号である。
【００２９】
ＴＰ２から送信されたＵＥｊに対する信号を多重アクセスチャネル（ＭＡＣ）における雑音として扱うことにより、ＵＥｉにおける調整されたレート（∝に基づく）は、ジョイント検出を使用して、
【数２】
0006532527.tif 000003
のように表されることができる。ここで、
【数３】
0006532527.tif 000004
及び、干渉プラス雑音の共分散行列は、
【数４】
0006532527.tif 000005
によって与えられる。逐次干渉除去（ＳＩＣ）検出を使用して、ＭＡＣ容量領域のコーナーポイントを達成することができ、ここで、ＴＰ１及びＴＰ２からのデータレートは、ＵＥｉにおいて、それぞれ下記のように別々に表現されることができる。
【００３０】
【数５】
0006532527.tif 000006
【００３１】
ここで、
【数６】
0006532527.tif 000007
である。ベクトルＮｉは、ＵＥｉにおける雑音プラス干渉電力である。最初にＴＰ２からのＵＥｉに対するデータが検出され、ＴＰ１からのＵＥｉに対する信号及びＴＰ２からのＵＥｊに対する信号を干渉として処理する。次に、ＴＰ２からのＵＥｊに対する信号のみを干渉として仮定して、ＴＰ１からのＵＥｉに対するデータが検出される。ＴＰ２からのＵＥｉに対する信号は、受信信号から検出されて除去されると仮定される。
【００３２】
干渉プラス雑音を白色雑音とみなすことにより、下記の近似が行われることができる。
【数７】
0006532527.tif 000008
ここで、ＣｏＭＰ  ＳＩＮＲ（ＳＩＭＯシステムの場合）は、下記のように定義され、
【数８】
0006532527.tif 000009
【数９】
0006532527.tif 000010
は、雑音プラス、ＴＰｋにおけるユーザｉのＣｏＭＰセットの外部の全てのセルからの干渉電力である。この仮定を用いて、下記のレート近似が行われることができる。
【数１０】
0006532527.tif 000011
【００３３】
ブロードキャストチャネルは、システムの一部と見なすことができ、それは、ユーザｉ、ｊに対するＴＰ２送信の重ね合わせ信号である一方、ＵＥｉに対する信号は、ＴＰ１から干渉として扱われる。値ｙｊ，ＴＰ２は、ＴＰ２と関連付けられたユーザｊにおける受信信号を、下記のように示す。
【００３４】
【数１１】
0006532527.tif 000012
【００３５】
解析を簡素化するために、等価な低密度拡散（ＬＤＳ）は、干渉プラス雑音を白色雑音と仮定したデグレードモデルによって近似される。したがって、ＳＩＣ検出が、使用されることができ、そしてＳＩＮＲが増加する方向のユーザによって、順位付けられる。
【数１２】
0006532527.tif 000013
と仮定すると、その場合に、ＳＩＣ検出がＵＥｊにおいて実行されることができる。これは、ＴＰ１からのこのユーザに対する信号及びＴＰ２についてのＵＥｊに対する信号を干渉として仮定すると、より低い
【数１３】
0006532527.tif 000014
を有するＴＰ２からのユーザｉに対するデータが最初に検出されることを意味する。
【数１４】
0006532527.tif 000015
であるこのデグレードシステムでは、ＴＰ２からのユーザｉに対するデータがユーザｊにおいて検出されて除去される。したがって、この良いＵＥｊで達成可能なレートは、
【数１５】
0006532527.tif 000016
によって近似されることができ、ここで、
【数１６】
0006532527.tif 000017
は、非ＣｏＭＰ  ＳＩＮＲ（ＳＩＭＯシステムの場合）であり、Ｎｊ，ＴＰ２は、雑音プラス、サービングＴＰを除く全てのＴＰからの干渉電力として定義される。
【００３６】
上記の導出から、ＭＵ−ＳＣＭＡ−ＣｏＭＰリモートペアリング方式に関する、検出戦略、電力分配最適化、及びグリーディなペアリングアルゴリズムが要約されることができる。悪いＵＥ６２０における検出戦略の場合は、ＴＰ２からの良いＵＥ６２０に対する信号が干渉であると仮定して、ＴＰ１及びＴＰ２からのデータが一緒に検出されることができる。その代わりに、合計レートに関して、ＴＰ１からの信号とＴＰ２からの良いＵＥ６２０に対する信号が干渉であると仮定して、ＴＰ２からの悪いＵＥ６２０に対するデータが最初に検出される。ＴＰ２からの良いＵＥ６２０に対する信号のみを干渉として仮定して、ＴＰ１からの悪いＵＥ６２０に対するデータが検出されることができる。それぞれのレートは下記のように表されることができる。
【００３７】
【数１７】
0006532527.tif 000018
【００３８】
良いＵＥ６２０では、デグレードシステムに関して、ＴＰ２からの悪いＵＥ６２０に対するデータが検出されて完全に除去され得ることが仮定される。したがって、ＴＰ１からの悪いＵＥ６２０に対する信号のみが干渉であると仮定して、良いＵＥ６２０に対するデータが検出される。レートは下記によって表されることができる。
【００３９】
【数１８】
0006532527.tif 000019
【００４０】
もしＴＰ２からのＵＥｉに対するデータが良いＵＥ６２０において検出されることができないならば、その場合に、ＴＰ２からのＵＥｊに対する信号が干渉として加えられる。
【００４１】
２つのＵＥ６２０の重み付き合計レート（ＷＳＲ）は、下記のような最大ＷＳＲ基準に基づく電力分配係数の最適化において使用されることができる。
【００４２】
【数１９】
0006532527.tif 000020
【００４３】
最適化解０≦∝＊≦１は、
【数２０】
0006532527.tif 000021
の解である。Ｓ＝［１］（例えば、ＯＦＤＭＡシステムの場合）であるＳＣＭＡの場合に、解は下記によって見つけられ得る。
【００４４】
【数２１】
0006532527.tif 000022
【００４５】
ここで、
【数２２】
0006532527.tif 000023
であり、Ｒｉはユーザｉの平均レートである。
【００４６】
グリーディなＵＥペアリングアルゴリズムを使用して、ＯＬ  ＭＵ−ＳＣＭＡ−ＣｏＭＰ送信のためにＵＥをペアにすることができる。最初に、下記のような単一ＴＰ比例公平性（ＰＦ）スケジューリングに基づいて、ＴＰ１においてＵＥｉ＊が選択される。
【００４７】
【数２３】
0006532527.tif 000024
【００４８】
次に、与えられたＵＥｉ＊に対して、
【数２４】
0006532527.tif 000025
が最大化されるように、ＴＰ２においてＵＥｊ＊が選択される。このグリーディなＵＥペアリングアルゴリズムは、これらのＴＰ間の全ての可能なＵＥのペアよりはむしろ、協調するＴＰと関連付けられたＵＥの数まで、探索スペースを減少させることができる。ＴＰ１がＴＰ２と関連付けられたＣｏＭＰ  ＵＥを支援することが可能であるので、逆の手順が同様にＴＰ２で行われる。
【００４９】
図７は、２つのＵＥ７２０が同じセル内に存在するＭＵ−ＳＣＭＡ−ＣｏＭＰローカルペアリングシナリオの一実施例を示す。１つのＵＥ７２０は、セル中心のＣｏＭＰ  ＵＥ又は良いＵＥ、すなわちＵＥｊであり、もう１つは、セル端のＵＥ又は悪いＵＥ、すなわちＵＥｉである。システムは、複数のＴＰからＣｏＭＰ  ＵＥにデータを送信するために、ＳＭ方式又は送信ダイバシティ方式を実施することができる。両方のＴＰ７１０は、データをＣｏＭＰ  ＵＥ７２０に送信する。悪いＵＥ７２０における検出戦略の場合は、ＴＰ２からの良いＵＥ７２０に対する信号が干渉であると仮定して、ＴＰ１及びＴＰ２からのデータが一緒に検出されることができる。その代わりに、電力分配係数の最適化を容易にするために、合計レートに関して、ＴＰ２からの信号とＴＰ１からの良いＵＥ７２０に対する信号が干渉であると仮定して、ＴＰ１からのこのＵＥ７２０に対するデータが最初に検出される。ＴＰ２からのこのＵＥ７２０に対するデータは、ＴＰ１からの良いＵＥ７２０に対する信号のみを干渉として仮定して、検出されることができる。このレートは下記のように表されることができる。
【００５０】
【数２５】
0006532527.tif 000026
【００５１】
良いＵＥ７２０では、デグレードシステムに関して、ＴＰ１からの悪いＵＥ７２０に対するデータが検出されて完全に除去され得ることが仮定される。したがって、ＴＰ２からの悪いＵＥ７２０に対する信号のみが干渉であると仮定して、良いＵＥ７２０に対するデータが検出される。レートは下記によって表されることができる。
【００５２】
【数２６】
0006532527.tif 000027
【００５３】
リモートペアリングの場合と同様に、ローカルペアリングシナリオに関する電力分配係数の最適化は、下記のような最大重み付き合計レート基準に基づいている。
【００５４】
【数２７】
0006532527.tif 000028
【００５５】
Ｓ＝［１］（例えば、ＯＦＤＭＡシステムの場合）であるＳＣＭＡの場合に、解は下記によって見つけられ得る。
【００５６】
【数２８】
0006532527.tif 000029
【００５７】
ここで、
【数２９】
0006532527.tif 000030
であり、Ｒｉはユーザｉの平均レートである。
【００５８】
グリーディなＵＥペアリングアルゴリズムを同様に使用して、ローカルペアリングのシナリオにおけるＯＬ  ＭＵ−ＣｏＭＰ送信のためにＵＥをペアにすることができる。最初に、下記のような単一ＴＰ比例公平性（ＰＦ）スケジューリングに基づいて、ＴＰ１においてＵＥｉ＊が選択される。
【００５９】
【数３０】
0006532527.tif 000031
【００６０】
次に、与えられたＵＥｉ＊に対して、
【数３１】
0006532527.tif 000032
が最大化されるように、ＴＰ１においてＵＥｊ＊が選択される。
【００６１】
図８は、ＴＰ８１０、ＴＰ１及びＴＰ２において、ＵＥｊ及びＵＥｋがそれぞれセル中心のＵＥ８２０（または良いＵＥ）である、ＭＵ−ＳＣＭＡ−ＣｏＭＰデュアルペアリングシナリオの一実施例を示す。ＵＥｉは、セル端のＣｏＭＰ  ＵＥ８２０（又は悪いＵＥ）である。両方の良いＵＥ８２０は、悪いＵＥ８２０よりも高いＳＩＮＲを有する。悪いＵＥ８２０における検出戦略の場合は、ＴＰ１からの良いＵＥｊに対する信号とＴＰ２からの良いＵＥｋに対する信号が干渉であると仮定して、ＴＰ１及びＴＰ２からのデータが一緒に検出されることができる。その代わりに、合計レートに関して、ＴＰ２からの信号とＴＰ１及びＴＰ２からの良いＵＥに対する信号が干渉であると仮定して、ＴＰ１からのＵＥｊに対するデータが最初に検出される。次に、ＴＰ１及びＴＰ２からの良いＵＥに対する信号のみが干渉であると仮定して、ＴＰ２からのＵＥｊに対するデータが検出されることができる。レートは下記のように表されることができる。
【００６２】
【数３２】
0006532527.tif 000033
【００６３】
良いＵＥｊでは、デグレードシステムに関して、ＴＰ１からの悪いＵＥ８２０に対するデータが検出されて完全に除去され得ることが仮定される。したがって、ＴＰ２からの信号のみが干渉であると仮定して、良いＵＥｊに対するデータが検出される。レートは下記によって表されることができる。
【００６４】
【数３３】
0006532527.tif 000034
【００６５】
良いＵＥｋでは、まず、ＴＰ１からの信号のみが干渉であると仮定して、良いＵＥｋに対するデータが検出される。レートは下記によって表されることができる。
【００６６】
【数３４】
0006532527.tif 000035
【００６７】
しかしながら、ＴＰ２から悪いＵＥ８２０に対するデータが得られるので、ＴＰ１から悪いＵＥ８２０に対するデータは、完全に除去されていると仮定する（結果として、より高いレートが得られる）。これは、ＴＰ２からのＵＥｉに対するデータが良いＵＥｋにおいて検出されることができるかどうかをチェックすることを必要とする。
【００６８】
最大ＷＳＲ基準に基づいて、デュアルペアリングシナリオのための電力分配係数の最適化では、下記の重み付き合計レートが使用される。
【００６９】
【数３５】
0006532527.tif 000036
【００７０】
電力分配の最適化は、下記のステップによって実施されることができる。
【００７１】
【数３６】
0006532527.tif 000037
【００７２】
【数３７】
0006532527.tif 000038
と
【数３８】
0006532527.tif 000039
に対する近似式は、下記のように適用されることができる。
【００７３】
【数３９】
0006532527.tif 000040
【００７４】
グリーディなＵＥペアリングアルゴリズムを使用して、デュアルペアリングシナリオにおけるＯＬ  ＭＵ−ＳＣＭＡ−ＣｏＭＰ送信のためにＵＥをペアにすることができる。最初に、所定の一対の協調セル、例えばＴＰ１及びＴＰ２に対して、セル中心のＵＥ８２０が、それぞれＭＵ−ＳＣＭＡペアリングに基づいて、ＴＰ１及びＴＰ２において選択される。したがって、ＵＥｊ、ＵＥｋが、それぞれＴＰ１及びＴＰ２から得られる。次いで、全ＵＥ（ＵＥｊを除く）がＴＰ１において検索されて、６−ＵＥペアリングにおけるセル端のＵＥを見つける。ここで、電力分配係数は、各ペアリングに対して最適化される。したがって、最大ＷＳＲを提供する６−ＵＥペアがスケジュールされる。
【００７５】
上記のＭＵ−ＳＣＭＡ−ＣｏＭＰペアリングシナリオでは、図９Ａ及び図９Ｂにおいて示されるように、クラスタ全体の重み付き合計レートを最大化するセル内の一組のＵＥがスケジュールされる。スケジューリングは、ＴＰ若しくはセルと関連付けられた１つ若しくは複数のコントローラ、及び／又はネットワーク中央コントローラによって実行されることができる。スケジューリングは、非ＣｏＭＰ送信モードのための単一ＴＰ処理ステップと、２つのＴＰからのジョイント送信をスケジューリングするための２−ＴＰ処理ステップとを含むことができる。この例では、ＰＦスケジューリングアルゴリズムが２−ＴＰクラスタに対して使用される。クラスタ内の各セル（単一ＴＰ処理）は、単一ＴＰ  ＰＦスケジューリング（ＳＵモード又はＭＵモードのいずれかにおける）を実行する。次に、ＣｏＭＰモードでは、協調ＴＰ（２−ＴＰ処理）は、ＣｏＭＰモードにおけるＵＥを、ローカルペアリング、リモートペアリング、又はデュアルペアリングによって、共同でスケジュールする。最大ＷＳＲとそれに関連する１つ又は複数のＵＥを提供するモードは、各送信時間間隔（ＴＴＩ）ごとにスケジュールされる。
【００７６】
単一ＴＰ処理部では、クラスタ内の各セルは、まず、単一ＴＰシングルユーザ（ＳＵ）ＰＦスケジューリングを実行し、ＴＰ１に対するステップ９０１Ａ及びＴＰ２に対するステップ９０１Ｂにおいて示されるように、スケジュールされたＵＥ及びそれらの対応するＰＦメトリックを登録する。次に、各セルは、ＴＰ１に対するステップ９０２Ａ及びＴＰ２に対するステップ９０２Ｂにおいて示されるように、ＭＵ  ＰＦスケジューリングを実行する。もしＭＵ  ＰＦメトリックがＳＵ  ＰＦメトリックより大きいならば、その場合に、別のＵＥ（例えば、ＳＵ  ＰＦスケジューリングに基づいてスケジュールされたＵＥとペアにされたＵＥ）が、そのセル内の既にスケジュールされたＵＥに追加されるとともに、対応する合計ＰＦメトリックが、ＴＰ１に対するステップ９０３Ａ及びＴＰ２に対するステップ９０３Ｂにおいて示されるように保持される。
【００７７】
２−ＴＰ処理部では、ステップ９１１において、クラスタ内の全ての可能なＣｏＭＰセットに対してＳＵ−ＣｏＭＰスケジューリングが実行される。もしクラスタ内の残りのセルに対する（ステップ９０３Ａ及び９０３Ｂからの）ＰＦメトリックの合計と合わせたＣｏＭＰセット内のＵＥのＰＦメトリックが全てのＣｏＭＰセットにわたって最大であるならば、その場合に、このモード及び対応するＵＥの合計ＰＦメトリックは、ＳＵ−ＣｏＭＰメトリックに保持される。例えば、７つのＴＰ（ＴＰ１〜７を有する）のクラスタ内のサイズ２の（すなわち、２つのＴＰが協調している）ＣｏＭＰセットを考慮すると、ＣｏＭＰセットは、ＣｏＭＰセットの外側に存在する残りのＴＰ３〜７に対して、ＴＰ１及びＴＰ２から構成されることができる。したがって、候補の合計ＰＦメトリックは、ＴＰ１及びＴＰ２の協調セットの下にあるＣｏＭＰ  ＵＥのＰＦと、ＴＰ３〜７における非ＣｏＭＰモードと関連付けられたＰＦメトリックの合計（それは、ＳＵ−非ＣｏＭＰ又はＭＵ−非ＣｏＭＰのいずれか高い方であり得る）とを含む。同様に、別の可能なＣｏＭＰセットは、クラスタ内でしかしＣｏＭＰセットの外側に存在する残りのＴＰ１とＴＰ４〜ＴＰ７に対して、ＴＰ２及びＴＰ３から構成されることができる。ステップ９１２において、クラスタ内の全ての可能なＣｏＭＰセットに対してリモートペアリングＭＵ−ＣｏＭＰが実行される。もしクラスタ内の残りのセルに対する（ステップ９０３Ａ及び９０３Ｂから得られる）ＰＦメトリックの合計と合わせたＣｏＭＰセット内のＵＥのＰＦメトリックが全てのＣｏＭＰセットにわたって最大であるならば、その場合に、このモード及び対応するＵＥの合計ＰＦメトリックは、リモートペアリングＭＵ−ＣｏＭＰメトリックに保持される。ステップ９１３において、クラスタ内の全ての可能なＣｏＭＰセットに対してローカルペアリングＭＵ−ＣｏＭＰが実行される。もしクラスタ内の残りのセルに対する（ステップ９０３Ａ及び９０３Ｂからの）ＰＦメトリックの合計と合わせたＣｏＭＰセット内のＵＥのＰＦメトリックが全てのＣｏＭＰセットにわたって最大であるならば、その場合に、このモード及び対応するＵＥの合計ＰＦメトリックは、ローカルペアリングＭＵ−ＣｏＭＰメトリックに保持される。ステップ９１４において、クラスタ内の全ての可能なＣｏＭＰセットに対してデュアルペアリングＭＵ−ＣｏＭＰが実行される。もしクラスタ内の残りのセルに対する（ステップ９０３Ａ及び９０３Ｂからの）ＰＦメトリックの合計と合わせたＣｏＭＰセット内のＵＥのＰＦメトリックが全てのＣｏＭＰセットにわたって最大であるならば、その場合に、このモード及び対応するＵＥの合計ＰＦメトリックは、デュアルペアリングＭＵ−ＣｏＭＰメトリックに保持される。ステップ９１５において、全ての非ＣｏＭＰ及びＣｏＭＰモードにわたってＰＦメトリックを最大化する一組のＵＥがスケジューリングのために選択される。
【００７８】
ＭＵ−ＣｏＭＰシステムは、ＵＥからのチャネル品質インジケータ（ＣＱＩ）フィードバックを使用して、スケジューリング及びＣｏＭＰモード選択を決定することができる。上記のようなクラスタ内の９個のＴＰの場合、各ＵＥに対する２組のＳＩＮＲが中央コントローラにフィードバックされる。非ＣｏＭＰ  ＳＩＮＲ（ＳＵ−非ＣｏＭＰ）、γｉ、ｊの場合、ＳＩＮＲは、ＵＥｉ及びそのサービングＴＰｊと関連付けられることができる。非ＣｏＭＰモードの場合、干渉は、ＵＥｉのサービングＴＰの外側の全てのＴＰからのものである。ＣｏＭＰ  ＳＩＮＲ（ＳＵ−ＣｏＭＰ又はＭＵ−ＣｏＭＰのいずれか）、
【数４０】
0006532527.tif 000041
の場合、ＳＩＮＲは、ＵＥｉと関連付けられるとともに、ＴＰｊからのものであり、ここで、ＴＰｊは（２つの協調ＴＰ内の）ＣｏＭＰセット内に存在する。ＣｏＭＰ  ＳＩＮＲの場合、干渉は、ＵＥｉのＣｏＭＰセットの外側の全てのセルからのものである。フィードバックＣｏＭＰ  ＳＩＮＲの計算のために、ＳＵ−ＣｏＭＰモードを使用するＵＥ１とＴＰ１及びＴＰ２との間の開ループチャネル容量（すなわち、Ｃｉ，ＴＰ１、Ｃｉ，ＴＰ２）が最初に計算される。容量は、全ての協調ＴＰからＵＥへの実際の短期フェーディング、フィードバック時の支配的な干渉ＴＰに基づいて、そして（干渉シグネチャ行列からの）仮定された干渉パターンに基づいて計算される。値
【数４１】
0006532527.tif 000042
が、最初に、Ｃｉ，ＴＰ２に基づいて計算されることができ、
【数４２】
0006532527.tif 000043
が、下記の関係に基づいて計算されることができる。
【００７９】
【数４３】
0006532527.tif 000044
【００８０】
一実施例において、ＭＵ−ＳＣＭＡ−ＣｏＭＰ方式は、ＭＩＭＯシナリオに拡張されることができ、各ＴＰ及びＵＥは、複数のアンテナを備えている。複数の独立したデータストリームが各ＴＰから送信されることができる開ループＳＭ送信モードが使用されることができる。例えば、２×２開ループＳＭ送信モードが実施され、ＴＰ及びＵＥは、それぞれ２つのアンテナを備え、２つの独立したデータストリームがＴＰから送信される。その代わりに、同じデータストリームが各ＴＰから送信されることができる各構成要素において、送信ダイバシティモードが、複数のアンテナと共に使用されることができる。さらに、ＴＰあたりの送信電力が固定される場合には、複数のアンテナ間で電力が分割される。ＭＩＭＯ送信シナリオにおいて、ＭＩＭＯ  ＣＱＩフィードバック計算（ＵＥにおける）は、単入力多出力（ＳＩＭＯ）送信方式におけるＣＱＩフィードバック計算と同様であり得る。例えば、２つの協調ＴＰとＵＥとの間のＭＩＭＯシステムにおけるＣＱＩフィードバックを計算するために、２つの協調ＴＰと関連付けられた２つのＭＩＭＯチャネル容量が計算される。一実施例において、ｎｃ個の独立したデータストリームは、各ＭＩＭＯチャネル内のｎｃ個の並列チャネル（ｎｃは整数）を介して送信され、各独立チャネルは、同じ容量（すなわちＭＩＭＯ容量／ｎｃ）を有すると仮定される。各独立チャネルに対する容量は、ＳＩＭＯシステムにおけるチャネル容量と同様に考えることができる。この容量は、その場合に、ＳＩＭＯの後処理ＳＩＮＲ（ＣＱＩ）フィードバックの計算に使用される。フィードバックＳＩＭＯ  ＳＩＮＲに基づいてＭＩＭＯレート計算を実行するために、まずＳＩＭＯレートがＳＩＭＯの後処理ＳＩＮＲに基づいて計算される。次に、ＳＩＭＯレートに独立チャンネルの数ｎｃを乗算することにより、ＭＩＭＯレートが得られる。
【００８１】
本発明の様々な実施例によれば、ＣｏＭＰのための例示的な方法、並びに例示的なコントローラ、ＴＰ、及びＵＥが、下記のように開示される。
【００８２】
実例１．スパース符号多元接続（ＳＣＭＡ）を使用する開ループマルチユーザ協調マルチポイント（ＣｏＭＰ）送信を可能にする方法であって、当該方法が、
複数の送信点（ＴＰ）及び複数のユーザ装置（ＵＥ）のクラスタのために、一組のＴＰにおける各ＴＰについて、ＳＣＭＡによるＭＵ  ＣｏＭＰ送信モード及びＵＥペアリング方式に従って一組のＵＥに複数のＳＣＭＡレイヤを協調して割り当てることによって、上記一組のＴＰからのデータ送信のために上記一組のＵＥをスケジュールするステップであって、上記ＳＣＭＡによるＭＵ  ＣｏＭＰ送信モード及び上記ＵＥペアリング方式が基準に従って選択される、ステップと、
上記一組のＴＰからの上記データ送信を検出するように上記一組のＵＥを設定するための制御シグナリングを上記一組のＴＰに割り当てるステップであって、上記制御シグナリングが上記スケジュールすることに基づく複数のパラメータを示す、ステップとを含む、方法。
【００８３】
実例２．スケジュールする上記ステップが、所定の時間リソース、周波数リソース、又は空間リソースごとに、上記基準に基づいて、上記一組のＴＰと上記一組のＵＥとの間のデータ送信のために、電力及びＳＣＭＡレイヤを含む利用可能なリソースを割り当てるステップを含み、スケジュールする上記ステップが、上記の割り当てられた電力に基づいて、上記ＵＥに対するＳＣＭＡレイヤのレート及び数を調整するステップを含む、実例１に記載の方法。
【００８４】
実例３．上記基準が、最大重み付き合計レート（ＷＳＲ）を有する送信モードを選択することを含む、実例１に記載の方法。
【００８５】
実例４．上記ＳＣＭＡによるＭＵ  ＣｏＭＰ送信モード及びＵＥペアリング方式が、シングルユーザ（ＳＵ）又はＭＵ  ＳＣＭＡ、ＳＣＭＡによるＳＵ  ＣｏＭＰ、及びＳＣＭＡによるＭＵ  ＣｏＭＰを含むＳＣＭＡ及びＣｏＭＰ送信モード並びに様々なＵＥ−ＴＰペアリング方式に関する複数の可能な設定から、上記基準に従って選択される、実例１に記載の方法。
【００８６】
実例５．上記様々なＵＥ−ＴＰペアリング方式が、セルカバレッジに関連付けられていない複数のＵＥを複数のＴＰとペアにすることを含む、実例４に記載の方法。
【００８７】
実例６．複数のＵＥが同じ又は異なる数のＴＰによってサービスされ、上記ＵＥの各ＵＥが、上記ＴＰのうちの少なくとも１つによってサービスされる、実例４に記載の方法。
【００８８】
実例７．上記ＴＰの各ＴＰが、セルラサービスエリアを有する、実例６に記載の方法。
【００８９】
実例８．スパース符号多元接続（ＳＣＭＡ）を使用する開ループマルチユーザ協調マルチポイント（ＣｏＭＰ）送信を可能にする方法であって、当該方法が、
ユーザ装置（ＵＥ）において、選択されたＳＣＭＡによるマルチユーザ（ＭＵ）  ＣｏＭＰ送信モード及びＵＥペアリング方式に従ってデータ送信をスケジュールするための制御シグナリングを受信するステップと、
上記選択されたＳＣＭＡによるＭＵ  ＣｏＭＰ送信モード及び上記ＵＥペアリング方式に従って一組のＴＰからのデータ送信を検出するステップであって、上記制御シグナリングが、上記一組のＴＰにおける各ＴＰのＳＣＭＡレイヤの数及びインデックスを示す、ステップとを含む、方法。
【００９０】
実例９．上記制御シグナリングが、各ＳＣＭＡレイヤに関するコードブックサイズ及びコードレートを更に示す、実例８に記載の方法。
【００９１】
実例１０．スパース符号多元接続（ＳＣＭＡ）を使用する開ループマルチユーザ協調マルチポイント（ＣｏＭＰ）送信を可能にするネットワークコントローラであって、当該ネットワークコントローラが、
メモリに結合されたプロセッサと、
上記プロセッサによる実行のためのプログラミングを記憶する非一時的なコンピュータ読み取り可能な記憶媒体とを備え、上記プログラミングが、
複数の送信点（ＴＰ）及び複数のユーザ装置（ＵＥ）のクラスタのために、一組のＴＰにおける各ＴＰについて、ＳＣＭＡによるＭＵ  ＣｏＭＰ送信モード及びＵＥペアリング方式に従って一組のＵＥに複数のＳＣＭＡレイヤを協調して割り当てることによって、上記一組のＴＰからのデータ送信のために上記一組のＵＥをスケジュールする命令であって、上記ＳＣＭＡによるＭＵ  ＣｏＭＰ送信モード及び上記ＵＥペアリング方式が基準に従って選択される、命令と、
上記一組のＴＰからの上記データ送信を検出するように上記一組のＵＥを設定するための制御シグナリングを上記一組のＴＰに割り当てる命令であって、上記制御シグナリングが上記スケジュールすることに基づく複数のパラメータを示す、命令とを含む、ネットワークコントローラ。
【００９２】
実例１１．上記プログラミングが、上記一組のＴＰにおける各ＴＰについて、上記一組のＵＥからのチャネル品質インジケータ（ＣＱＩ）フィードバックに従って複数のＳＣＭＡレイヤを上記ＵＥにスケジュールする命令を含み、上記ＣＱＩフィードバックが参照信号に従った測定値を示す、実例１０に記載のネットワークコントローラ。
【００９３】
実例１２．上記一組のＴＰからの上記データ送信のために上記一組のＵＥをスケジュールする上記命令が、
上記ＵＥペアリング方式に従って、データ送信のために上記基準に基づいて上記一組のＵＥにおける上記ＵＥを上記一組のＴＰにおける上記ＴＰとペアにする命令と、
所定の時間リソース、周波数リソース、又は空間リソースごとに、上記基準に基づいて、上記一組のＴＰと上記一組のＵＥとの間のデータ送信のために、電力及びＳＣＭＡレイヤを含む利用可能なリソースを割り当てる命令と、
上記の割り当てられた電力に基づいて、上記ＵＥに対するＳＣＭＡレイヤのレート及び数を調整する命令とを含む、実例１０に記載のネットワークコントローラ。
【００９４】
実例１３．スパース符号多元接続（ＳＣＭＡ）を使用する開ループマルチユーザ協調マルチポイント（ＣｏＭＰ）送信をサポートする送信ポイント（ＴＰ）であって、当該ＴＰが、
メモリに結合されたプロセッサと、
上記プロセッサによる実行のためのプログラミングを記憶する非一時的なコンピュータ読み取り可能な記憶媒体とを備え、上記プログラミングが、
ネットワークコントローラから上記ＴＰに割り当てられた制御シグナリングに関する複数のパラメータを受信する命令と、
上記制御シグナリングを、上記ＴＰと関連付けられた一組のユーザ装置（ＵＥ）に送信する命令であって、上記制御シグナリングが、選択されたＳＣＭＡによるマルチユーザ（ＭＵ）  ＣｏＭＰ送信モード及びＵＥペアリング方式に従って一組のＴＰからの送信を検出するために、上記一組のＵＥに関するスケジューリング情報を示し、上記パラメータが、上記一組のＴＰにおける各ＴＰのＳＣＭＡレイヤの数及びインデックスを含む、命令とを含む、ＴＰ。
【００９５】
実例１４．上記プログラミングが、
上記ＴＰと関連付けられた各ＵＥに参照信号を送信する更なる命令と、
各ＵＥから、上記参照信号に従った測定値を示すチャネル品質インジケータ（ＣＱＩ）フィードバックを受信する更なる命令と、
上記ＣＱＩフィードバックを上記ネットワークコントローラに転送する更なる命令とを含む、実例１３に記載のＴＰ。
【００９６】
実例１５．スパース符号多元接続（ＳＣＭＡ）を使用する開ループマルチユーザ協調マルチポイント（ＣｏＭＰ）送信をサポートするユーザ装置（ＵＥ）であって、当該ＵＥが、
メモリに結合されたプロセッサと、
上記プロセッサによる実行のためのプログラミングを記憶する非一時的なコンピュータ読み取り可能な記憶媒体とを備え、上記プログラミングが、
選択されたＳＣＭＡによるマルチユーザ（ＭＵ）  ＣｏＭＰ送信モード及びＵＥペアリング方式に従ってデータ送信をスケジュールするための制御シグナリングを受信する命令と、
上記選択されたＳＣＭＡによるＭＵ  ＣｏＭＰ送信モード及び上記ＵＥペアリング方式に従って一組のＴＰからのデータ送信を検出する命令であって、上記制御シグナリングが、上記一組のＴＰにおける各ＴＰのＳＣＭＡレイヤの数及びインデックスを示す、命令とを含む、ＵＥ。
【００９７】
実例１６．上記プログラミングが、
上記一組のＴＰにおける各ＴＰから参照信号を受信する更なる命令と、
上記参照信号に従った測定値を示すチャネル品質インジケータ（ＣＱＩ）フィードバックを送信する更なる命令とを含む、実例１５に記載のＵＥ。
【００９８】
図１０は、様々な実施例を実施するために使用されることができる例示的な処理システム１０００のブロック図である。例えば、システム１０００は、コントローラ、ＴＰ、又はＵＥの一部であってもよい。特定の装置は、示されたコンポーネントの全てを利用してもよいか、又はコンポーネントのサブセット及び統合のレベルのみが装置ごとに異なってもよい。さらに、装置は、複数の処理装置、プロセッサ、メモリ、送信機、受信機などのような、コンポーネントの複数のインスタンスを含むことができる。処理システム１０００は、ネットワークインタフェース、記憶装置インタフェースなどのような、１つ又は複数の入力／出力装置を備えた処理装置１００１を含むことができる。処理装置１００１は、バスに接続された中央処理装置（ＣＰＵ）１０１０、メモリ１０２０、大容量記憶装置１０３０、及びＩ／Ｏインタフェース１０６０を含むことができる。バスは、メモリバス若しくはメモリコントローラ、周辺バス、又は同様のものを含む、任意のタイプのいくつかのバスアーキテクチャのうちの１つ又は複数であってもよい。
【００９９】
ＣＰＵ１０１０は、あらゆるタイプの電子データプロセッサを含み得る。メモリ１０２０は、スタティックランダムアクセスメモリ（ＳＲＡＭ）、ダイナミックランダムアクセスメモリ（ＤＲＡＭ）、シンクロナスＤＲＡＭ（ＳＤＲＡＭ）、読出し専用メモリ（ＲＯＭ）、これらの組み合わせ又は同様のもののような、あらゆるタイプのシステムメモリを含み得る。一実施例において、メモリ１０２０は、ブートアップにおける使用のためのＲＯＭと、プログラムを実行している間の使用に適したプログラム及びデータ記憶用のＤＲＡＭとを含み得る。実施例において、メモリ１０２０は非一時的である。大容量記憶装置１０３０は、データ、プログラム及び他の情報を記憶するとともに、データ、プログラム及び他の情報をバスによってアクセス可能にするように構成されたあらゆるタイプの記憶装置を含み得る。大容量記憶装置１０３０は、例えば、ソリッドステートドライブ、ハードディスクドライブ、磁気ディスクドライブ、光ディスクドライブ又は同様のもののうちの１つ若しくは複数を含み得る。
【０１００】
処理装置１００１は、同様に、１つ又は複数のネットワークインタフェース１０５０を含み、１つ又は複数のネットワークインタフェース１０５０は、イーサネットケーブル若しくは同様のもののような有線リンク、及び／又はノード若しくは１つ以上のネットワーク１０８０にアクセスするための無線リンクを含み得る。ネットワークインタフェース１０５０は、処理装置１００１がネットワーク１０８０を通して遠隔装置と通信することを可能にする。例えば、ネットワークインタフェース１０５０は、１つ又は複数の送信機／送信アンテナ、及び１つ又は複数の受信機／受信アンテナを通して、無線通信を提供し得る。一実施例において、処理装置１００１は、データ処理のために、及び、他の処理装置、インターネット、遠隔記憶設備又は同様のもののような遠隔装置との通信のために、ローカルエリアネットワーク又は広域ネットワークに接続される。
【０１０１】
いくつかの実施例が本開示で提供されているが、開示されたシステム及び方法は、本開示の範囲から逸脱することなく、多くの他の特定の形式で具体化され得る、ということが理解されるべきである。本実例は、例示的であり、限定的ではないとみなされるべきであり、その意図は、本明細書で与えられた詳細に限定されるべきではない、ということである。例えば、様々な要素又はコンポーネントは、別のシステムに結合若しくは統合されてもよく、又は特定の機能は、省略されてもよいか、若しくは実装されなくてもよい。
【０１０２】
さらに、様々な実施例において個別的又は別々に説明及び例示されている技術、システム、サブシステム、及び方法は、本開示の範囲から逸脱することなく、他のシステム、モジュール、技術、又は方法と結合されるか、若しくは統合されることができる。互いに接続されるか若しくは直接接続されるか若しくは通信するように示されるか、又は議論される他の項目は、電気的、機械的、若しくはその他にせよ、何らかのインタフェース、デバイス、又は中間コンポーネントを介して、間接的に接続されるか、若しくは通信していてもよい。変更、置換、及び修正の他の例が、当業者により確認可能であるとともに、本明細書に開示された範囲から逸脱することなく実行されることができる。
【図１】
0006532527.tif 000045
【図２】
0006532527.tif 000046
【図３】
0006532527.tif 000047
【図４】
0006532527.tif 000048
【図５】
0006532527.tif 000049
【図６】
0006532527.tif 000050
【図７】
0006532527.tif 000051
【図８】
0006532527.tif 000052
【図９Ａ】
0006532527.tif 000053
【図９Ｂ】
0006532527.tif 000054
【図１０】
0006532527.tif 000055